(57)【要約】      （修正有）【課題】人が手を添えて加勢した時に導通部が絶縁物から露出して通電状態になり、加勢を解除すると元の絶縁状態に復帰する構造としたプッシュ式接触子を提供する。【解決手段】バネの弾性を応用して、接触子に手を添えて加勢すると導通部が露出して、手を離すとバネの復帰により導通部が絶縁状態に戻るという構造である。導通部１は内筒２と外筒３の中で外部とは絶縁状態にある。また、端部のナットｂ６ナットｃ７圧着端子８はビニールキャップで絶縁されている。内筒２はバネ４により押し出された状態にある。目的の接点に内筒２を接触させて確認後、外筒３に手を添え加勢してスライドさせると、バネ４が収縮して導通部１が内筒２から露出して接点に接触する。手を離すとバネ４が復帰する。【選択図】図１
0003174391.tif 000002
【実用新案登録請求の範囲】
【請求項１】
リード線の接触子の導通部を、常時は内筒と外筒からなる2個の筒状の絶縁物により絶縁された状態にしておいて、導通部を目的の接点に接触する時、内筒を接点に接触させた後、外筒に手を添え加勢してスライドさせると、導通部が内筒から露出して接点に接触し、手を離して加勢を解くとコイルバネの復帰により導通部が元の絶縁状態に戻るという構造を特徴とする接触子。
【請求項２】
接触子の導通部に加勢する時のコイルバネの収縮長が調整できることも特徴とする。
【考案の詳細な説明】
【技術分野】
【０００１】
本考案は、リード線における両端の接触子の導通部が、常時は絶縁物により絶縁された状態にあって、人が手を添えて加勢した時に導通部が絶縁物から露出して通電状態になり、手を離すと絶縁状態に復帰する構造としたもので、電気設備の試験・調整時の精度と安全性向上を目的に開発したものである。
【背景技術】
【０００２】
電気設備の試験・調整作業において使用するリード線の、接触子の導通部は常に露出状態にあり、作業中に導通部が目的の接点以外に、不意の箇所に接触して誤作動を起こすことがある。
また、やむをえず通電状態で作業しなければならない場合や、作業中に誤って送電された場合等に、接触子の導通部が露出状態にあると危険である。
そのため必要に応じて、導通部にビニールキャップ等の絶縁物で養生する処置がとられているが、なお且つそれらの養生を外した時以降に不意の接触による事故が起こっている。
【先行技術文献】
【特許文献】
【０００３】
【特許文献１】該当文献なし
【考案の概要】
【考案が解決しようとする課題】
【０００４】
従来の接触子では、注意していても導通部が露出状態である以上、不意の接触は起こりうることで、それを回避するには導通部が常時絶縁状態にあり、目的の接点に接触させようとする時だけ導通部が露出し、接点から離すと絶縁状態に復帰する接触子の開発が求められる。
【課題を解決するための手段】
【０００５】
そこで、本考案は以上の課題を解決すべく、接触子の導通部をビニールキャップ等の絶縁物で養生することなく、常時導通部が絶縁されている状態にしておき、必要な時だけ導通部を露出させる方法を模索した。
その方法として、コイルバネの弾性を応用して、接触子に手を添えて加勢すると導通部が露出して、接触子から手を離すとコイルバネの復帰により導通部が絶縁状態に戻るという構造を考案した。
【考案の効果】
【０００６】
本考案に係る接触子によれば、導電部が露出による不意の接触事故を防ぐだけでなく、目的の接点にアクリルパイプ内筒２．を先に接触させて確認した後に導通部を接点に接触させるというワンクッションをいれた動作になるため、誤接続防止にも効果が期待できる。
【図面の簡単な説明】
【０００７】
【図１】接触子の通常の状態で、導通部１．はアクリルパイプ内筒２．とアクリルパイプ外筒３．の中で外部とは絶縁状態にある。また、端部のナットｂ６．ナットｃ７．圧着端子８．はビニールキャップで絶縁されている。アクリルパイプ内筒２．はコイルバネ４．により押し出された状態にある。
【図２】目的の接点にアクリルパイプ内筒２．を接触させて確認後、アクリルパイプ外筒３．に手を添えて加勢してスライドさせると、コイルバネ４．が収縮して導通部１．がアクリルパイプ内筒２．から露出して接点に接触する。手を離すとコイルバネ４．が復帰して［図１］に戻る。
【考案を実施するための形態】
【０００８】
本ブッシュ式接触子は以下のパーツで構成する。  導通部１．（裸銅線）  アクリルパイプ内筒２．  アクリルパイプ外筒３．  コイルバネ４．（SSS標準バネ）  ナットａ５．  ナットb６．  ナットc７．  圧着端子８．  電線９．（ビニール絶縁電線）  ビニールキャップ10.
【図１】
0003174391.tif 000003
【図２】
0003174391.tif 000004
【手続補正書】
【提出日】平成24年1月12日(2012.1.12)
【手続補正１】
【補正対象書類名】実用新案登録請求の範囲
【補正対象項目名】全文
【補正方法】変更
【補正の内容】
【実用新案登録請求の範囲】
【請求項１】
導通部と、該導通部の先端部が露出した状態で導通部の基端部に固定された絶縁物からなる外筒と、該外筒の内側において導通部への固定部に固定されるとともに内側に導通部が挿通され、かつ外筒内を伸張自在なコイルバネと、該コイルバネの先端に固定されるとともに内側に導通部が挿通され、かつ外筒内を進退自在な内筒とを有し、該コイルバネに負荷の無い状態において内筒が導通部の先端より突出していることを特徴とするプッシュ式接触子。
【請求項２】
前記コイルバネの収縮長を調整できることを特徴とする請求項１記載のプッシュ式接触子。
【手続補正２】
【補正対象書類名】明細書
【補正対象項目名】全文
【補正方法】変更
【補正の内容】
【考案の詳細な説明】
【技術分野】
【０００１】
本考案は、リード線における両端の接触子の導通部が、常時は絶縁物により絶縁された状態にあって、人が手を添えて加勢した時に導通部が絶縁物から露出して通電状態になり、加勢を解除すると元の絶縁状態に復帰するプッシュ式接触子に関するものであり、電気設備の試験・調整時の精度と安全性向上を目的としたものである。
【背景技術】
【０００２】
電気設備の試験・調整作業において使用するリード線においては、両端部に設けられた接触子の導通部は常に露出状態にあり、作業中に導通部が目的の接点以外の箇所に接触して誤作動を起こすことがある。また、やむをえず通電状態で作業しなければならない場合や、作業中に誤って送電された場合に、接触子の導通部が露出状態にあると危険である。そこで、従来、導通部にビニールキャップ等の絶縁物で養生する処置がとられている。
【先行技術文献】
【特許文献】
【０００３】
【特許文献１】該当文献なし
【考案の概要】
【考案が解決しようとする課題】
【０００４】
しかしながら、ビニールキャップ等を外した状態にあっては、いくら注意していても、導通部が露出状態であるので、不注意により接触事故が起きる場合があった。
【０００５】
本考案は、以上の問題点を解決するためになされたもので、リード線の使用時以外は、導通部が常に絶縁状態にあるようにすることにより、不注意により接触事故が起こらないようにしたプッシュ式接触子を提供することを目的とする。
【課題を解決するための手段】
【０００６】
本考案者は、上記目的を達成するために鋭意検討し、接触子の導通部をビニールキャップ等の絶縁物で養生することなく、常時導通部が絶縁されている状態にしておき、必要な時だけ導通部を露出させることにすれば接触事故が起きないことに着目し、本考案を完成させたものである。
【０００７】
請求項１に係るプッシュ式接触子は、導通部と、該導通部の先端部が露出した状態で導通部の基端部に固定された外筒と、該外筒の導通部への固定部に固定されるとともに内部に導通部が挿通されたコイルバネと、該コイルバネの先端に固定されるとともに内部に導通部が挿通された内筒とを有し、該コイルバネに負荷の無い状態において内筒が導通部の先端より突出していることを特徴とする。
【０００８】
請求項２に係るプッシュ式接触子は、請求項１に係るプッシュ式接触子において、コイルバネの収縮長を調整できることを特徴とする。
【考案の効果】
【０００９】
請求項１に係るプッシュ式接触子によれば、不使用時においては、導通部は内筒と外筒からなる2個の筒状の絶縁物により絶縁された状態にある。すなわち、導通部は露出していないので、不注意による接触事故が発生することが無い。また、使用時においては、内筒を接点に接触させた後、外筒に手を添えコイルバネに抗して加勢してスライドさせると、コイルバネが収縮するとともに、コイルバネと一体になって内筒も外筒内を基端方向へ移動し、その結果、導通部の先端が内筒の先端開口面に露出する。したがって、導通部を接点に接触させることが出来る。そして、作業が終了後、内筒を接点から離すと、コイルバネの付勢が解かれ、コイルバネの復帰により導通部が元の絶縁状態に戻る。
【００１０】
また、導通部の露出による不意の接触事故を防ぐだけでなく、目的の接点にアクリルパイプ内筒２．を先に接触させて確認した後に導通部を接点に接触させるというワンクッションをいれた動作になるため、誤接続防止にも効果が期待できる。
【図面の簡単な説明】
【００１１】
【図１】本考案によるプッシュ式接触子の不使用状態を示す断面図
【図２】本考案によるプッシュ式接触子の使用状態を示す断面図
【考案を実施するための形態】
【００１２】
本考案によるプッシュ式接触子の一実施形態を図面を参照して説明する。
図１は、プッシュ式接触子の不使用状態の断面図、図２は、プッシュ式接触子の使用状態の断面図である。
【００１３】
これらの図において、１は裸銅線からなる導通部で、この導通部１の先端側及び基端側が突出した状態でアクリルパイプ外筒３が固定されている。アクリルパイプ外筒３は導通部１の基端部側に固定されており、その固定部の内側にはナットａを介してコイルバネ４が固定されている。コイルバネ４の先端にはアクリルパイプ内筒２が固定されており、このアクリルパイプ内筒２はアクリルパイプ外筒３の内側において進退自在となっている。
【００１４】
また、アクリルパイプ外筒３は、導通部１の略半分の長さに設定され、コイルバネ４は、負荷が掛からない状態においてアクリルパイプ外筒３の略３／４の長さに設定され、アクリルパイプ内筒２はアクリルパイプ外筒３と略同一の長さに設定されている。したがって、コイルバネ４に負荷が掛からない状態において、導通部１の先端は、アクリルパイプ内筒２の開口部から基端側に若干入り込んだ状態となっている。さらに、９は電線で、圧着端子８を介してナットｂとナットｃとで導通部１に接続されており、また、ビニールキャップ１０で覆われ絶縁されている。
【００１５】
以上のようなプッシュ式接触子を使用するには、目的の接点にアクリルパイプ内筒２を接触させて確認後、アクリルパイプ外筒３に手を添えて加勢してスライドさせると、図２に示すように、コイルバネ４が収縮して導通部１がアクリルパイプ内筒２から露出して接点に接触する。手を離すとコイルバネ４が復帰し、図１に示すように、アクリルパイプ内筒２が導通部１を覆い絶縁する。
【符号の説明】
【００１６】
１    導通部
２    アクリルパイプ内筒
３    アクリルパイプ外筒
４    コイルバネ
５    ナットａ
６    ナットｂ
７    ナットｃ
８    圧着端子
９    電線
１０  ビニールキャップ